(57)【要約】【課題】吸着式冷凍機の全体の構成を簡素化でき、かつ、吸着器の冷却性能の低下を抑制できる吸着器を提供する。【解決手段】吸着器１０は、吸着剤１４２に吸着される被吸着媒体が内部に封入された容器１２と、容器１２の内部に存在する被吸着媒体の熱を容器１２の外部に放出させるフィン２２とを備える。容器１２の内部には、気相の被吸着媒体が吸着剤１４２に吸着する吸着過程のときに、液相の被吸着媒体と被冷却物とが熱交換し、液相の被吸着媒体が蒸発する蒸発部が形成される。フィン２２は、気相の被吸着媒体が吸着剤１４２から脱離する脱離過程のときに、外気に受熱させて気相の被吸着媒体を凝縮させる。【選択図】図１Ａ
2019070509.tif 000002
【特許請求の範囲】
【請求項１】
吸着器であって、
吸着剤に吸着される被吸着媒体が内部に封入された容器（１２、１２Ａ、１２Ｇ、１２Ｈ）と、
前記容器の内部に配置された前記吸着剤（１４２）と、
前記容器の内部に存在する被吸着媒体の熱を前記容器の外部へ放出させる放熱部（２２、３８、４８、６２、６４）とを備え、
前記容器の内部には、気相の被吸着媒体が前記吸着剤に吸着する吸着過程のときに、液相の被吸着媒体と被冷却物とが熱交換し、液相の被吸着媒体が蒸発する蒸発部（１３ｂ、３４１、４４１、１３ｅ）が形成され、
前記放熱部は、気相の被吸着媒体が前記吸着剤から脱離する脱離過程のときに、被冷却物とは別の物に受熱させて気相の被吸着媒体を凝縮させる吸着器。
【請求項２】
前記容器は、第１壁（１２２、３２３、４２３、１２５）と、前記第１壁に対して空間（１３）を挟んで対向する第２壁（１２４、３４３、４４３、１２７）と、前記第１壁側から前記第２壁側へ延びている第３壁（１２６、３６２、４６２、１２１、１２３）とを有し、
前記吸着剤は、前記第１壁に対して熱伝導可能な状態で固定されており、
前記蒸発部は、前記空間のうち被吸着媒体が前記第２壁を介して被冷却物と熱交換する部分であり、
前記放熱部は、前記第３壁のうち前記容器の外側に設けられている請求項１に記載の吸着器。
【請求項３】
前記第１壁は、前記容器のうち上側に位置する上壁（１２２、３２３、４２３）であり、
前記第２壁は、前記上壁よりも下側に位置する底壁（１２４、３４３、４４３）であり、
前記第３壁は、前記上側から下側へ延びている壁（１２６、３６２、４６２）である請求項２に記載の吸着器。
【請求項４】
前記放熱部は、気相の被吸着媒体と前記容器の外部の受熱媒体との熱交換を促進させるフィン（２２、３８、４８）である請求項２または３に記載の吸着器。
【請求項５】
前記容器は第１容器（１２Ａ）であり、前記吸着剤は第１吸着剤であり、前記被吸着媒体は第１被吸着媒体であり、前記蒸発部は第１蒸発部（３４１）であり、
前記吸着器は、
第２吸着剤に吸着される第２被吸着媒体が封入された第２容器（１２Ｂ）と、
前記第２容器の内部に配置された前記第２吸着剤（１４２）とを備え、
前記第２容器の内部には、気相の第２被吸着媒体が前記第２吸着剤に吸着する吸着過程のときに、液相の第２被吸着媒体と被冷却物とが熱交換し、液相の第２被吸着媒体が蒸発する第２蒸発部（３４１）が形成され、
前記放熱部（３８）は、気相の第２被吸着媒体が前記第２吸着剤から脱離する脱離過程のときに、被冷却物とは別の物に受熱させて気相の第２被吸着媒体を凝縮させる請求項１に記載の吸着器。
【請求項６】
前記容器（１２Ｇ）は、
第１タンク空間（４２１）を内部に形成する第１タンク部（４２）と、
第２タンク空間（４４１）を内部に形成する第２タンク部（４４）と、
前記第１タンク空間と前記第２タンク空間とを連通させる連通空間（４６１）を内部に形成する複数のチューブ（４６）とを有し、
前記吸着剤は、前記第１タンク部の内部に配置され、
前記蒸発部は、前記第２タンク部の内部に形成され、
前記放熱部は、前記複数のチューブのうち隣り合うチューブの間にそれぞれ設けられた複数のフィン（４８）である請求項１に記載の吸着器。
【請求項７】
請求項１、２、３、５、６のいずれか１つに記載の吸着器（１０、１０Ａ、１０Ｂ、１０Ｃ、１０Ｄ、１０Ｅ、１０Ｆ、１０Ｇ）と、
前記吸着過程のときの第１状態と、前記脱離過程のときの第２状態との切り替えを制御する制御装置（７６）とを備え、
前記吸着器は、前記吸着剤の冷却および加熱を行う冷却加熱部（１６、６０）を有し、
前記第１状態においては、前記冷却加熱部によって前記吸着剤が冷却され、前記容器の内部に前記蒸発部が形成され、前記放熱部による被吸着媒体からの熱の放出が行われず、
前記第２状態においては、前記冷却加熱部によって前記吸着剤が加熱され、前記放熱部による被吸着媒体からの熱の放出が行われる吸着式冷凍機。
【請求項８】
気相の被吸着媒体から受熱する受熱媒体を前記放熱部へ供給する受熱媒体供給部（７１、７３２、７３３、７４、８０）を備え、
前記放熱部は、気相の被吸着媒体と前記受熱媒体とを熱交換させる熱交換部（２２、３８、４８、６２）であり、
前記制御装置は、前記第２状態への切り替えの際に、前記受熱媒体供給部によって前記放熱部へ前記受熱媒体を供給する、請求項７に記載の吸着式冷凍機。
【請求項９】
前記受熱媒体供給部（７１、７３２、７３３、７４）は、前記受熱媒体として前記容器の周囲の環境に存在する熱交換媒体を前記放熱部に供給する、請求項８に記載の吸着式冷凍機。
【請求項１０】
前記受熱媒体供給部は、前記放熱部で気相の被吸着媒体と熱交換した後の前記熱交換媒体を、前記容器の周囲の環境に放出する、請求項９に記載の吸着式冷凍機。
【請求項１１】
前記被冷却物は、蒸気圧縮式冷凍サイクル装置の凝縮器から流出した液相冷媒または前記液相冷媒と熱交換される流体である、請求項７ないし１０のいずれか１つに記載の吸着式冷凍機。
【発明の詳細な説明】
【技術分野】
【０００１】
本発明は、吸着式冷凍機に用いられる吸着器およびそれを用いた吸着式冷凍機に関する。
【背景技術】
【０００２】
特許文献１に、連続冷却を行う吸着式冷凍機が開示されている。この吸着式冷凍機は、２つの吸着器を備える。２つの吸着器のそれぞれは、吸着コアと蒸発凝縮部とを有する。２つの吸着器のうち一方の吸着器で、吸着コアに被吸着媒体が吸着する吸着過程が行われる。このとき、２つの吸着器のうち他方の吸着器で、吸着コアから被吸着媒体が脱離する脱離過程が行われる。その後、２つの吸着器のそれぞれにおいて、吸着過程と脱離過程とが切り換えられる。
【０００３】
この吸着式冷凍機は、加熱媒体が流れる回路と、冷却媒体が流れる回路と、被冷却物が流れる回路とを含む複数の回路を備える。
【０００４】
吸着過程のとき、吸着コアに被吸着媒体を吸着させるために、吸着コアが冷却媒体によって冷却される。このとき、蒸発凝縮部では、被吸着媒体を蒸発させて、被冷却物を冷却するために、被吸着媒体と被冷却物とが熱交換される。
【０００５】
脱離過程のとき、吸着コアから被吸着媒体を脱離させるために、加熱媒体によって吸着コアが加熱される。このとき、蒸発凝縮部で、被吸着媒体を凝縮させるために、被吸着媒体が冷却媒体によって冷却される。
【０００６】
２つの吸着器のそれぞれにおいて、吸着過程と脱離過程とが切り換えて実行されるように、複数の回路は、２つの吸着器のそれぞれとの接続が切り換え可能に構成されている。
【先行技術文献】
【特許文献】
【０００７】
【特許文献１】特開２００５−３０８３５５号公報
【発明の概要】
【発明が解決しようとする課題】
【０００８】
ところで、本発明者は、上記の連続冷却を行う吸着式冷凍機とは異なり、１つの吸着器で間欠冷却を行う吸着式冷凍機を検討した。この吸着式冷凍機では、１つの吸着器において、吸着過程と脱離過程とが切り換えられる。
【０００９】
このときの吸着器の構成として、吸着器の蒸発凝縮部が、被吸着媒体と被冷却物との熱交換によって、被吸着媒体を蒸発および凝縮させる構成が考えられる。この場合、吸着過程のとき、蒸発凝縮部で被吸着媒体が蒸発する。このときの蒸発潜熱によって、被冷却物を冷却することができる。
【００１０】
しかし、脱離過程で、蒸発凝縮部で被吸着媒体が凝縮するとき、被吸着媒体が放熱する。このため、被冷却物が加熱されてしまう。このように、１つの吸着器において、吸着過程と脱離過程とを切り換える場合、吸着器の冷却性能が低下することが、本発明者によって見出された。
【００１１】
本発明は上記点に鑑みて、吸着器の冷却性能の低下を抑制できる吸着器および吸着式冷凍機を提供することを目的とする。
【課題を解決するための手段】
【００１２】
上記目的を達成するため、請求項１に記載の発明の吸着器は、
吸着剤に吸着される被吸着媒体が内部に封入された容器（１２、１２Ａ、１２Ｇ、１２Ｈ）と、
容器の内部に配置された吸着剤（１４２）と、
容器の内部に存在する被吸着媒体の熱を容器の外部へ放出させる放熱部（２２、３８、４８、６２、６４）とを備え、
容器の内部には、気相の被吸着媒体が吸着剤に吸着する吸着過程のときに、液相の被吸着媒体と被冷却物とが熱交換し、液相の被吸着媒体が蒸発する蒸発部（１３ｂ、３４１、４４１、１３ｅ）が形成され、
放熱部は、気相の被吸着媒体が吸着剤から脱離する脱離過程のときに、被冷却物とは別の物に受熱させて気相の被吸着媒体を凝縮させる。
【００１３】
これによれば、１つの吸着器において、吸着過程から脱離過程に切り換えたときに、被冷却物とは別の物に受熱させて被吸着媒体を凝縮させることができる。このため、脱離過程のときに、被冷却物が加熱されることを回避することができる。よって、これによれば、吸着器の冷却性能の低下を抑制できる。
【００１４】
なお、上記の放熱部には、フィン、冷却管、電子冷却器などが含まれる。
【００１５】
また、各構成要素等に付された括弧付きの参照符号は、その構成要素等と後述する実施形態に記載の具体的な構成要素等との対応関係の一例を示すものである。
【図面の簡単な説明】
【００１６】
【図１Ａ】第１実施形態における吸着器の断面図である。
【図１Ｂ】第１実施形態における吸着式冷凍機の全体構成を示す図であって、吸着器が吸着過程となる吸着式冷凍機が第１状態のときの図である。
【図１Ｃ】第１実施形態における吸着式冷凍機の全体構成を示す図であって、吸着器が脱離過程となる吸着式冷凍機が第２状態のときの図である。
【図２Ａ】吸着過程における第１実施形態の吸着器の断面図である。
【図２Ｂ】切替過程における第１実施形態の吸着器の断面図である。
【図２Ｃ】脱離過程における第１実施形態の吸着器の断面図である。
【図３】比較例１における吸着器の断面図である。
【図４】第２実施形態における吸着器の断面図である。
【図５】図４中の第１容器の断面図である。
【図６】第３実施形態における吸着器の断面図である。
【図７】第４実施形態における吸着器の断面図である。
【図８】第５実施形態における吸着器の断面図である。
【図９Ａ】吸着過程における第５実施形態の吸着器の断面図である。
【図９Ｂ】切替過程における第５実施形態の吸着器の断面図である。
【図９Ｃ】脱離過程における第５実施形態の吸着器の断面図である。
【図１０Ａ】第６実施形態における吸着器の断面図である。
【図１０Ｂ】第６実施形態における吸着式冷凍機の全体構成を示す図であって、吸着器が吸着過程となる吸着式冷凍機が第１状態のときの図である。
【図１０Ｃ】第６実施形態における吸着式冷凍機の全体構成を示す図であって、吸着器が脱離過程となる吸着式冷凍機が第２状態のときの図である。
【図１１Ａ】第７実施形態における吸着器の断面図である。
【図１１Ｂ】第７実施形態における吸着式冷凍機の全体構成を示す図であって、吸着器が吸着過程となる吸着式冷凍機が第１状態のときの図である。
【図１１Ｃ】第７実施形態における吸着式冷凍機の全体構成を示す図であって、吸着器が脱離過程となる吸着式冷凍機が第２状態のときの図である。
【図１２Ａ】第８実施形態における吸着器の断面図である。
【図１２Ｂ】第８実施形態における吸着式冷凍機の全体構成を示す図であって、吸着器が吸着過程となる吸着式冷凍機が第１状態のときの図である。
【図１２Ｃ】第８実施形態における吸着式冷凍機の全体構成を示す図であって、吸着器が脱離過程となる吸着式冷凍機が第２状態のときの図である。
【発明を実施するための形態】
【００１７】
以下、本発明の実施形態について図に基づいて説明する。なお、以下の各実施形態相互において、互いに同一もしくは均等である部分には、同一符号を付して説明を行う。
【００１８】
（第１実施形態）
図１Ａに示す本実施形態の吸着器１０は、吸着式冷凍機の一部を構成する。本実施形態の吸着式冷凍機は、車両用の空調装置を構成する蒸気圧縮式冷凍サイクル装置の冷媒を冷却する。具体的には、この吸着式冷凍機は、蒸気圧縮式冷凍サイクル装置の放熱器から流出の液相冷媒を冷却する。
【００１９】
吸着器１０は、１つの容器１２と、１つの吸着コア１４と、１つの第１フィン１６と、１つの多孔質体１８と、１つの多穴管２０と、２つの第２フィン２２とを備える。
【００２０】
容器１２は、内部に空間１３を形成する。容器１２の内部には、吸着剤に吸着される被吸着媒体（すなわち、吸着質）が封入されている。被吸着媒体としては、水、アルコールなどが挙げられる。容器１２の内部は、真空状態とされている。真空状態とは、容器１２の内部の空間１３が容器１２の周囲の圧力に対して減圧された状態であり、工業的に利用できる圧力の状態である。また、真空状態とは、被吸着媒体の蒸発と凝縮が生じる圧力状態である。容器１２は、金属製である。
【００２１】
容器１２の形状は、直方体である。容器１２は、上壁１２２と、底壁１２４と、４つの側壁１２６とを有する。上壁１２２は、容器１２のうち上側に位置する壁である。上壁１２２は、内面１２２ａと外面１２２ｂとを有する。底壁１２４は、容器１２のうち下側に位置する壁である。底壁１２４は、上壁１２２に対して間をあけて対向している。底壁１２４は、内面１２４ａと外面１２４ｂとを有する。
【００２２】
それぞれの側壁１２６は、容器１２の側方に位置する壁である。それぞれの側壁１２６は、上壁１２２と底壁１２４との両方に連なる。それぞれの側壁１２６は、上側から下側へ延びている。それぞれの側壁１２６は、上壁１２２と底壁１２４とともに空間１３を囲んでいる。それぞれの側壁１２６は、内面１２６ａと外面１２６ｂとを有する。
【００２３】
上壁１２２と底壁１２４とは、上下方向に空間１３を挟んで対向している。したがって、上壁１２２が第１壁に相当する。底壁１２４が、第１壁に対して空間を挟んで対向する第２壁に相当する。それぞれの側壁１２６は、上壁１２２側から底壁１２４側へ延びている。したがって、それぞれの側壁１２６は、第１壁側から第２壁側へ延びている第３壁に相当する。
【００２４】
吸着コア１４は、上壁１２２の内面１２２ａに対して熱伝導可能な状態で固定されている。吸着コア１４は、容器１２の内部の空間１３のうち上壁側部分１３ａに配置されている。上壁側部分１３ａは、空間１３のうち底壁１２４よりも上壁１２２に近い側の部分である。
【００２５】
吸着コア１４は、吸着剤１４２と、伝熱促進材１４４とを有する。吸着剤１４２は、被吸着媒体を吸着および脱離する。吸着剤１４２としては、シリカゲル、ゼオライト、活性炭、金属有機構造体（すなわち、MOF：Metal Organic Frameworks）などが挙げられる。伝熱促進材１４４は、吸着剤１４２と容器１２の外部との間の伝熱を促進させる。伝熱促進材１４４としては、金属フィン、金属粉、発泡金属、焼結金属、炭素繊維などが挙げられる。吸着剤１４２は、上壁１２２に対して伝熱促進材１４４を介して熱伝導可能な状態で固定されている。
【００２６】
第１フィン１６は、上壁１２２の外面１２２ｂに対して熱伝導可能な状態で固定されている。第１フィン１６としては、コルゲートフィンが用いられる。第１フィン１６は、容器１２の外部の受熱媒体または加熱媒体と吸着剤１４２との間の熱交換を促進させる熱交換部材である。換言すると、第１フィン１６は、容器１２の外部の受熱媒体または加熱媒体と吸着剤１４２との間を伝熱させる伝熱部材である。第１フィン１６は、上壁１２２の外側の伝熱面の面積を拡大させる拡大伝熱面を有する。後述の通り、第１フィン１６は、吸着剤１４２を冷却および加熱する冷却加熱部として機能する。
【００２７】
多孔質体１８は、容器１２の内部の空間１３のうち底壁側部分１３ｂに配置されている。底壁側部分１３ｂは、空間１３のうち上壁１２２よりも底壁１２４に近い側の部分である。多孔質体１８は、底壁１２４の内面１２４ａに対して熱伝導可能な状態で固定されている。多孔質体１８は、液相の被吸着媒体を複数の孔に保持する。
【００２８】
多穴管２０は、底壁１２４の外面１２４ｂに対して熱伝導可能な状態で固定されている。多穴管２０は、内部に複数の流路２０２を有する。複数の流路２０２には、被冷却物である蒸気圧縮式冷凍サイクルの冷媒が流れる。多穴管２０は、後述の通り、蒸気圧縮式冷凍サイクル装置の一部を構成している。多穴管２０は、被冷却物と被吸着媒体とを熱交換させる熱交換部材である。換言すると、多穴管２０は、被冷却物と被吸着媒体との間を伝熱させる伝熱部材である。多穴管２０は、底壁１２４の被冷却物側の伝熱面の面積を拡大させる拡大伝熱面を有する。
【００２９】
２つの第２フィン２２のそれぞれは、４つの側壁１２６のうち２つの側壁１２６のそれぞれに設けられている。それぞれの第２フィン２２は、対応する側壁１２６の外面１２６ｂに対して熱伝導可能な状態で固定されている。第２フィン２２としては、コルゲートフィンが用いられる。第２フィン２２は、気相の被吸着媒体と容器１２の外部の受熱媒体との熱交換を促進させる熱交換部材である。換言すると、第２フィン２２は、容器１２の外部の受熱媒体と被吸着媒体との間を伝熱させる伝熱部材である。第２フィン２２は、側壁１２６の外側の伝熱面の面積を拡大させる拡大伝熱面を有する。
【００３０】
次に、吸着式冷凍機が適用される蒸気圧縮式冷凍サイクル装置について説明する。図１Ｂに示すように、蒸気圧縮式冷凍サイクル装置１は、圧縮機２と、凝縮器３と、受液器４と、多穴管２０と、膨張弁５と、蒸発器６とを備える。
【００３１】
圧縮機２は、エンジン７を駆動源として駆動される。圧縮機２は、吸入した冷媒を圧縮して吐出する。凝縮器３は、圧縮機２から吐出された冷媒を放熱させる放熱器である。凝縮器３は、外気との熱交換によって冷媒を凝縮させる熱交換器である。受液器４は、凝縮器３から流出した冷媒の気液を分離して、液相冷媒を貯める容器である。
【００３２】
多穴管２０は、吸着器１０の内部の被吸着媒体との熱交換によって、受液器４から流出した液相冷媒を冷却して過冷却状態とする過冷却部である。膨張弁５は、多穴管２０から流出した液相冷媒を減圧膨張させる。蒸発器６は、膨張弁５から流出した気液２相の冷媒を蒸発させる。蒸発器６は、車室内の空気との熱交換によって冷媒を蒸発させる熱交換器である。蒸発器６は、車室内に搭載される図示しない空調ユニットに収容されている。
【００３３】
空調装置の作動時では、エンジン７を駆動源として圧縮機２が作動する。圧縮機２から吐出された冷媒は、凝縮器３で外気との熱交換によって凝縮する。凝縮器３で凝縮された冷媒は、受液器４で気液分離される。分離された液相冷媒が受液器４に貯められる。受液器４から流出した液相冷媒は、後述の通り、多穴管２０で、被吸着媒体との熱交換によって冷却される。多穴管２０から流出した液相冷媒は、膨張弁５で減圧膨張して気液２相の冷媒となる。気液２相の冷媒は、蒸発器６で車室内の空気との熱交換によって蒸発して気相冷媒となる。これにより、車室内の空気が冷却される。すなわち、車室内の冷房が行われる。蒸発器６から流出した気相冷媒は、圧縮機２に吸入される。
【００３４】
次に、本実施形態の吸着式冷凍機について説明する。吸着式冷凍機は、吸着器１０の他に、送風部を備える。送風部は、第１フィン１６と第２フィン２２とに対して選択的に外気を送風する。送風部は、１つの送風機を用いて、送風先を第１フィン１６と第２フィン２２との一方に切り換え可能に構成されている。なお、送風部は、第１フィン１６へ外気を送風するための上壁用送風機と、第２フィン２２へ外気を送風するための側壁用送風機とを有していてもよい。
【００３５】
また、吸着式冷凍機は、吸着器の他に、排ガス供給装置を備える。排ガス供給装置は、第１フィン１６へエンジンの排ガスを供給する。排ガスは、吸着剤を加熱するための加熱媒体である。排ガス供給装置が排ガスを供給することで、排ガスと吸着剤とが熱交換する。この熱交換によって、吸着剤が加熱される。
【００３６】
具体的には、図１Ｂに示すように、吸着式冷凍機７０は、吸着器１０と、外気用ファン７１と、排ガス用ファン７２と、ダクト７３と、外気用ドア７４と、排ガス用ドア７５とを備える。外気用ファン７１と、ダクト７３の外気供給部分７３３と、外気用ドア７４とが、上記の送風部を構成している。排ガス用ファン７２と、ダクト７３の排ガス供給部分７３５と、排ガス用ドア７５とが、上記の排ガス供給装置を構成している。
【００３７】
外気用ファン７１は、第１フィン１６および第２フィン２２へ外気を送る送風機である。排ガス用ファン７２は、第１フィン１６へ排ガスを送る送風機である。ダクト７３は、外気および排ガスが流れる流路を形成する。ダクト７３は、第１フィン部分７３１と、第２フィン部分７３２と、外気供給部分７３３と、外気放出部分７３４と、排ガス供給部分７３５と、排ガス放出部分７３６とを含む。
【００３８】
第１フィン部分７３１は、第１フィン１６が配置された部分である。第２フィン部分７３２は、第２フィン２２が配置された部分である。第２フィン部分７３２を通過した外気は、容器１２の周囲の環境に放出される。
【００３９】
外気供給部分７３３は、外気用ファン７１によって送風された外気が第１フィン部分７３１または第２フィン部分７３２に向かって流れる部分である。外気供給部分７３３の下流側に、第１フィン部分７３１と、第２フィン部分７３２とが連なっている。換言すると、ダクト７３は、外気供給部分７３３の下流側で、第１フィン部分７３１と、第２フィン部分７３２とに分岐している。なお、図１Ｂでは、２つの第２フィン部分７３２のうち一方のみが外気供給部分７３３と連なっているように示されている。しかしながら、２つの第２フィン部分７３２のうち他方についても、図示しない箇所で、外気供給部分７３３に連なっている。
【００４０】
外気放出部分７３４は、第１フィン部分７３１の途中に連なっている。外気放出部分７３４は、第１フィン部分７３１を通過した外気を容器１２の周囲の環境に導く部分である。第１フィン部分７３１を通過した外気は、外気放出部分７３４から容器１２の周囲の環境へ放出される。
【００４１】
排ガス供給部分７３５は、第１フィン部分７３１のうち外気供給部分７３３側とは反対側に連なっている。排ガス供給部分７３５は、排ガス用ファン７２によって送風される排ガスが第１フィン部分７３１に向かって流れる部分である。排ガス放出部分７３６は、第１フィン部分７３１を通らずに排ガスを外部へ導く部分である。
【００４２】
外気用ドア７４は、ダクト７３の内部のうち第１フィン部分７３１および第２フィン部分７３２の上流側に設けられている。外気用ドア７４は、外気用ファン７１から送風された外気が第１フィン部分７３１を流れる状態と、外気用ファンから送風された外気が第２フィン部分７３２を流れる状態とを切り替える外気切替部である。
【００４３】
排ガス用ドア７５は、ダクト７３の内部のうち第１フィン部分７３１および排ガス放出部分７３６の上流側に設けられている。排ガス用ドア７５は、排ガス用ファン７２から送風された排ガスが第１フィン部分７３１を流れる状態と、排ガス用ファン７２から送風された排ガスが排ガス放出部分７３６を流れる状態とを切り替える排ガス切替部である。
【００４４】
また、吸着式冷凍機７０は、制御装置７６を備える。制御装置７６は、外気用ファン７１、外気用ドア７４および排ガス用ドア７５の作動を制御する。制御装置７６は、吸着式冷凍機７０の作動状態を、吸着器１０が吸着過程となる第１状態と、吸着器１０が脱離過程となる第２状態とに切り替える。制御装置７６は、第１状態と第２状態とが所定時間毎に交互に繰り返されるように、第１状態と第２状態とを切り替える。制御装置７６は、プロセッサ、メモリを含む周知のマイクロコンピュータとその周辺回路から構成される。なお、制御装置７６のメモリは、非遷移的実体的記憶媒体で構成される。
【００４５】
次に、本実施形態の吸着式冷凍機７０の作動について、図１Ｂ、１Ｃ、２Ａ、２Ｂ、２Ｃを用いて説明する。なお、図１Ｃでは、図１Ｂ中の蒸気圧縮式冷凍サイクル装置１の図示が省略されている。
【００４６】
吸着器１０は、図２Ａの吸着過程と図２Ｃの脱離過程とが、図２Ｂの切替過程を経て、切り換えられる。いずれの過程においても、矢印Ｃ１のように多穴管２０の内部に被冷却物が流入し、矢印Ｃ２のように多穴管２０の内部から被冷却物が流出する。矢印Ｃ１は、図の手前側から多穴管２０へ向かう被冷却物の流れを示している。矢印Ｃ２は、多穴管２０から図の奥側へ流出した被冷却物の流れを示している。
【００４７】
（吸着過程）
図１Ｂに示すように、制御装置７６は、吸着式冷凍機７０の状態が吸着過程のときの第１状態となるように、外気用ファン７１、外気用ドア７４および排ガス用ドア７５の作動を制御する。具体的には、制御装置７６は、外気用ドア７４のドア位置を、第１フィン部分７３１を開き、第２フィン部分７３２を閉じる位置とする。制御装置７６は、排ガス用ドア７５のドア位置を、第１フィン部分７３１を閉じ、排ガス放出部分７３６を開く位置とする。制御装置７６は、外気用ファン７１を作動させる。なお、排ガス用ファン７２は、エンジン７の作動時に作動している。
【００４８】
これにより、外気用ファン７１によって送風された外気は、図１Ｂの矢印Ａ１のように、ダクト７３の外気供給部分７３３、第１フィン部分７３１および外気放出部分７３４を流れる。ダクト７３の第２フィン部分７３２には、外気は流れない。一方、排ガス用ファン７２によって送風された排ガスは、図１Ｂの矢印Ａ２のように、ダクト７３の排ガス供給部分７３５および排ガス放出部分７３６を流れる。
【００４９】
したがって、吸着過程では、図２Ａの矢印Ａ１のように、第１フィン１６へ外気が送風される。第１フィン１６へ送風される外気は、吸着剤１４２から受熱する受熱媒体である。換言すると、第１フィン１６へ送風される外気は、吸着剤１４２を冷却する冷却流体である。外気と吸着剤１４２との熱交換によって、外気が受熱し、吸着剤１４２が冷却される。このように、第１フィン１６によって吸着剤１４２が冷却される。
【００５０】
これにより、矢印Ｂ１のように、底壁側部分１３ｂに存在する液相の被吸着媒体が蒸発して気相の被吸着媒体となる。気相の被吸着媒体が吸着剤１４２に吸着される。このとき、多穴管２０、底壁１２４および多孔質体１８を介して、被吸着媒体と被冷却物とが熱交換する。このため、液相の被吸着媒体が蒸発するときの蒸発潜熱によって、多穴管２０の内部を流れる被冷却物が冷却される。
【００５１】
例えば、多穴管２０に５０℃の被冷却物が流入する。４０℃の外気が第１フィン１６へ送風される。これにより、被冷却物の温度が５０℃から１５℃まで冷却される。このように、被冷却物である液相冷媒が冷却されることによって、液相冷媒が過冷却状態となる。
【００５２】
本実施形態では、容器１２の内部の空間１３のうち底壁側部分１３ｂに存在する液相の被吸着媒体が蒸発する。したがって、底壁側部分１３ｂが、吸着過程のときに、液相の被吸着媒体と被冷却物とを熱交換させて、液相の被吸着媒体を蒸発させる蒸発部に相当する。この蒸発部は、空間１３のうち被吸着媒体が底壁１２４を介して被冷却物と熱交換する部分である。このように、容器１２の内部には、蒸発部が形成される。なお、吸着過程では、後述する脱離過程で行われる、第２フィン２２による被吸着媒体からの熱の放出は、行われない。
【００５３】
（吸着過程後の切替過程）
吸着過程から脱離過程へ切り替わるときの切替過程が吸着過程後の切替過程である。吸着過程後の切替過程では、制御装置７６は、外気用ファン７１を停止させる。これにより、図２Ｂに示すように、第１フィン１６への送風が停止される。このため、吸着剤１４２の冷却が停止される。被吸着媒体の吸着剤１４２への吸着が停止される。このとき、底壁１２４および多孔質体１８の熱容量分の冷熱によって、多穴管２０の内部を流れる被冷却物が冷却されるとともに、底壁１２４が加熱される。
【００５４】
（脱離過程）
図１Ｃに示すように、制御装置７６は、吸着式冷凍機７０の状態が脱離過程のときの第２状態となるように、外気用ファン７１、外気用ドア７４および排ガス用ドア７５の作動を制御する。具体的には、制御装置７６は、外気用ドア７４のドア位置を、第１フィン部分７３１を閉じ、第２フィン部分７３２を開く位置とする。制御装置７６は、排ガス用ドア７５のドア位置を、第１フィン部分７３１を開き、排ガス放出部分７３６を閉じる位置とする。制御装置７６は、外気用ファン７１を作動させる。
【００５５】
これにより、外気用ファン７１によって送風された外気は、図１Ｃの矢印Ａ３のように、ダクト７３の外気供給部分７３３および第２フィン部分７３２を流れる。一方、排ガス用ファン７２によって送風された排ガスは、図１Ｃの矢印Ａ２のように、ダクト７３の排ガス供給部分７３５、第１フィン部分７３１および外気放出部分７３４を流れる。
【００５６】
したがって、脱離過程では、図２Ｃの矢印Ａ２のように第１フィン１６へ排ガスが送風される。排ガスは、吸着剤１４２を加熱するための加熱媒体である。上壁１２２および第１フィン１６を介して、排ガスと吸着剤１４２とが熱交換する。この熱交換によって、吸着剤１４２が加熱される。このように、第１フィン１６によって吸着剤１４２が加熱される。これにより、矢印Ｂ２のように気相の被吸着媒体が吸着剤１４２から脱離する。
【００５７】
脱離過程では、さらに、矢印Ａ３のようにそれぞれの第２フィン２２へ外気が送風される。第２フィン２２へ送風される外気は、気相の被吸着媒体から受熱する受熱媒体である。換言すると、第２フィン２２へ送風される外気は、気相の被吸着媒体を冷却する冷却流体である。第２フィン２２へ送風される外気の温度は、多穴管２０の内部を流れる被冷却物の温度よりも低い。それぞれの側壁１２６および第２フィン２２を介して、容器１２の内部の空間１３のうち側壁側部分１３ｃに存在する気相の被吸着媒体と外気とが熱交換する。側壁側部分１３ｃは、空間１３のうち横方向での中央部よりも側壁１２６に近い側の部分である。この熱交換によって、外気が受熱し、気相の被吸着媒体が冷却される。これにより、気相の被吸着媒体が凝縮して液相の被吸着媒体となる。凝縮した液相の被吸着媒体は、重力で落下して、図２Ａに示す底壁側部分１３ｂに溜まる。
【００５８】
例えば、多穴管２０に５０℃の被冷却物が流入する。９０℃の排ガスが第１フィン１６へ送風される。４０℃の外気が第２フィン２２へ送風される。これにより、容器１２の内部の空間１３のうち側壁側部分１３ｃに存在する気相の被吸着媒体が凝縮する。
【００５９】
このように、本実施形態では、２つの第２フィン２２は、脱離過程のときに、容器１２の内部に存在する被吸着媒体の熱を容器１２の外部へ放出させる放熱部として機能する。すなわち、脱離過程のときでは、放熱部による被吸着媒体からの熱の放出が行われる。これらの第２フィン２２は、気相の被吸着媒体の熱を外気に受熱させて、気相の被吸着媒体を凝縮させる。換言すると、２つの第２フィン２２は、脱離過程のときに、外気を冷却源として、容器１２の内部に存在する気相の被吸着媒体を冷却して凝縮させる冷却部として機能する。なお、気相の被吸着媒体が吸着剤から脱離してから凝縮するまでに、吸着媒体の温度が下がる。しかしながら、被吸着媒体の温度が下がらない場合もあり得る。
【００６０】
（脱離過程後の切替過程）
脱離過程から吸着過程へ切り替わるときの切替過程が脱離過程後の切替過程である。脱離過程後の切替過程では、図２Ｂに示すように、第１フィン１６への排ガスの送風と第２フィン２２への外気の送風とが停止される。これにより、吸着剤１４２の加熱と被吸着媒体の冷却とが停止される。
【００６１】
次に、本実施形態の吸着器１０の効果について、図３に示す比較例１の吸着器Ｊ１０と対比して説明する。
【００６２】
比較例１の吸着器Ｊ１０は、第２フィン２２を備えていない点で、本実施形態の吸着器１０と異なる。比較例１の吸着器Ｊ１０の他の構成は、本実施形態の吸着器１０と同じである。
【００６３】
比較例１の吸着器Ｊ１０では、脱離過程のときに、容器１２の内部の底壁側部分１３ｂで、気相の被吸着媒体と被冷却物とが熱交換する。この熱交換によって、気相の被吸着媒体が冷却されて凝縮する。このように、比較例１の吸着器Ｊ１０では、脱離過程のときの気相の被吸着媒体の冷却源として、被冷却物を用いている。このため、被冷却物が加熱される。よって、比較例１の吸着器Ｊ１０では、吸着器Ｊ１０の冷却性能が低下する。
【００６４】
これに対して、本実施形態の吸着器１０では、脱離過程のときに、容器１２の内部の底壁側部分１３ｂではなく、側壁側部分１３ｃで、気相の被吸着媒体が凝縮する。すなわち、本実施形態の吸着器１０は、脱離過程のときに、被冷却物とは別の物である外気に受熱させて気相の被吸着媒体を凝縮させる。このため、脱離過程のときに、被冷却物が加熱されることを回避することができる。よって、本実施形態の吸着器１０によれば、吸着器１０の冷却性能の低下を抑制することができる。
【００６５】
また、本実施形態の吸着式冷凍機７０は、１つの吸着器１０で間欠冷却を行う。このため、２つの吸着器で連続冷却を行う吸着式冷凍機と比較して、吸着器の数を２つから１つに減らすことができる。よって、吸着式冷凍機７０の全体の構成を簡素化することができる。
【００６６】
また、本実施形態の吸着式冷凍機７０では、制御装置７６は、第２状態への切り替えの際に、外気用ファン７１と、ダクト７３の外気供給部分７３３および第２フィン部分７３２と、外気用ドア７４とによって、第２フィン２２へ外気を供給する。外気は、容器１２の周囲の環境に存在する熱交換媒体である。そして、第２フィン２２で気相の被吸着媒体と熱交換した後の外気は、容器１２の周囲の環境に放出される。このように、脱離過程のときに気相の被吸着媒体から受熱する受熱媒体として、外気を用いることができる。
【００６７】
ところで、この受熱媒体として外気とは異なる熱交換媒体を用い、かつ、受熱媒体が流れる閉回路を用いる場合、受熱媒体の閉回路から受熱媒体が漏れないようにする必要がある。これに対して、本実施形態によれば、受熱媒体が流れる回路は開回路である。このため、本実施形態によれば、受熱媒体が流れる閉回路を用いていないので、受熱媒体が漏れないようにする必要が無い。
【００６８】
なお、本実施形態では、第２フィン２２が、気相の被吸着媒体と外気とを熱交換させる熱交換部に相当する。外気用ファン７１と、ダクト７３の外気供給部分７３３および第２フィン部分７３２と、外気用ドア７４とが、気相の被吸着媒体から受熱する受熱媒体を放熱部へ供給する受熱媒体供給部に相当する。
【００６９】
また、本実施形態と異なり、第１フィン１６へ外気を送風するための上壁用送風機と、第２フィン２２へ外気を送風するための側壁用送風機とを用いる場合、側壁用送風機が気相の被吸着媒体から受熱する受熱媒体を放熱部へ供給する受熱媒体供給部に相当する。
【００７０】
（第２実施形態）
図４に示すように、本実施形態の吸着器１０Ａは、複数の容器１２Ａ−１２Ｆを有する。複数の容器１２Ａ−１２Ｆは、第１容器１２Ａと、第２容器１２Ｂと、第３容器１２Ｃと、第４容器１２Ｄと、第５容器１２Ｅと、第６容器１２Ｆとを含む。複数の容器１２Ａ−１２Ｆは、一方向に並んでいる。複数の容器１２Ａ−１２Ｆは、連なっている。
【００７１】
複数の容器１２Ａ−１２Ｆのそれぞれの構造は、基本的に同じである。このため、以下では、第１容器１２Ａの構造について説明する。
【００７２】
図５に示すように、第１容器１２Ａは、吸着剤収容部３２と、液内在部３４と、連通部３６とを有する。吸着剤収容部３２は、第１容器１２Ａのうちの上側に位置する。吸着剤収容部３２は、第１空間３２１を内部に形成している。吸着剤収容部３２は、第１空間３２１を囲む壁３２２を有する。吸着剤収容部３２の壁３２２には、上壁３２３と、上壁を除く壁３２４とが含まれる。上壁３２３は、第１容器１２Ａのうち上側に位置する壁である。
【００７３】
吸着剤収容部３２の内部に、吸着コア１４が配置されている。したがって、吸着剤収容部３２の内部に、吸着剤１４２が配置されている。吸着コア１４は、上壁３２３の内面３２３ａに対して熱伝導可能な状態で固定されている。
【００７４】
液内在部３４は、吸着剤収容部３２よりも下側に位置する。液内在部３４の内部に、液相の被吸着媒体が存在する。液内在部３４は、第２空間３４１を内部に形成している。液内在部３４は、第２空間３４１を囲む壁３４２を有する。液内在部３４の壁３４２には、底壁３４３と、底壁を除く壁３４４とが含まれる。底壁３４３は、第１容器１２Ａのうち下側に位置する壁である。液内在部３４の内部に、多孔質体１８が配置されている。多孔質体１８は、底壁３４３の内面３４３ａに対して熱伝導可能な状態で固定されている。
【００７５】
連通部３６は、吸着剤収容部３２と液内在部３４との両方に連なっている。連通部３６は、第１空間３２１と第２空間３４１とを連通させる連通空間３６１を内部に形成する。連通部３６は、連通空間３６１を囲む壁３６２を有する。連通部３６の壁３６２は、上側から下側へ延びている。第１空間３２１と第２空間３４１と連通空間３６１とは、第１容器１２Ａの内部の連続する１つの空間１３を構成している。複数の容器１２Ａ−１２Ｆの並び方向において、連通部３６の幅は、吸着剤収容部３２の幅および液内在部３４の幅よりも小さい。
【００７６】
吸着剤収容部３２の上壁３２３と液内在部３４の底壁３４３とは、上下方向に空間１３を挟んで対向している。したがって、上壁３２３が第１壁に相当する。底壁３４３が、第１壁に対して空間を挟んで対向する第２壁に相当する。連通部３６の壁３６２は、上壁３２３側から底壁３４３側へ延びている。したがって、連通部３６の壁３６２は、第１壁側から第２壁側へ延びている第３壁に相当する。連通部３６の壁３６２は、上壁３２３と底壁３４３とともに、空間１３を囲んでいる。
【００７７】
図４に示すように、本実施形態の吸着器１０Ａでは、第２容器１２Ｂ、第３容器１２Ｃおよび第４容器１２Ｄは、第１容器１２Ａと同じ形状である。第５容器１２Ｅおよび第６容器１２Ｆは、第１容器１２Ａを左右に２分割したうちの一方を壁で塞いだ形状である。
【００７８】
複数の容器１２Ａ−１２Ｆの並び方向において、それぞれの吸着剤収容部３２が並んでいる。複数の容器１２Ａ−１２Ｆの並び方向において、それぞれの液内在部３４が並んでいる。複数の容器１２Ａ−１２Ｆの並び方向において、それぞれの連通部３６が並んでいる。
【００７９】
吸着器１０Ａは、１つの第１フィン１６と、１つの多穴管２０とを備える。複数の容器１２Ａ−１２Ｆに対して、１つの第１フィン１６が設けられている。第１フィン１６は、それぞれの吸着剤収容部３２の上壁３２３の外面３２３ｂに対して熱伝導可能な状態で固定されている。複数の容器１２Ａ−１２Ｆに対して、１つの多穴管２０が設けられている。多穴管２０は、それぞれの液内在部３４の底壁３４３の外面３４３ｂに対して熱伝導可能な状態で固定されている。
【００８０】
吸着器１０Ａは、複数の第２フィン３８を備える。それぞれの第２フィン３８は、複数の連通部３６のうち隣り合う連通部３６の間のそれぞれに設けられている。それぞれの第２フィン３８は、それぞれの連通部３６の壁３６２の外面３６２ａに対して熱伝導可能な状態で固定されている。複数の第２フィン３８は、それぞれの連通部３６の内部の気相の被吸着媒体とそれぞれの連通部３６の外部の受熱媒体との熱交換を促進させる熱交換部材である。
【００８１】
本実施形態の吸着器１０Ａでは、第１容器１２Ａの吸着剤１４２が、第１吸着剤に相当する。第２容器１２Ｂの吸着剤１４２が、第２吸着剤に相当する。第１容器１２Ａの被吸着媒体が、第１被吸着媒体に相当する。第２容器１２Ｂの被吸着媒体が、第２被吸着媒体に相当する。
【００８２】
次に、本実施形態の吸着器１０Ａの作動について説明する。本実施形態の吸着器１０Ａの作動は、第１実施形態の吸着器１０と基本的に同じである。また、吸着式冷凍機７０の吸着器１０Ａを除く部分の作動は、第１実施形態の吸着式冷凍機７０と同じである。複数の第２フィン３８は、第１実施形態の２つの第２フィン２２に対応する。
【００８３】
（吸着過程）
吸着過程では、第１フィン１６へ外気が送風される。それぞれの吸着剤収容部３２の内部の吸着剤１４２が冷却される。これにより、それぞれの液内在部３４の内部に存在する液相の被吸着媒体が蒸発して気相の被吸着媒体となる。気相の被吸着媒体がそれぞれの吸着剤収容部３２の内部の吸着剤１４２に吸着される。このとき、それぞれの液内在部３４において、被吸着媒体と被冷却物とが熱交換する。このため、液相の被吸着媒体が蒸発するときの蒸発潜熱によって、多穴管２０の内部を流れる被冷却物が冷却される。
【００８４】
本実施形態では、それぞれの液内在部３４の第２空間３４１に存在する液相の被吸着媒体が蒸発する。したがって、それぞれの液内在部３４の第２空間３４１が、吸着過程のときに、液相の被吸着媒体と被冷却物とを熱交換させて、液相の被吸着媒体を蒸発させる蒸発部に相当する。この蒸発部は、空間のうち被吸着媒体が底壁３４３を介して被冷却物と熱交換する部分である。第１容器１２Ａの第２空間３４１が第１蒸発部に相当する。第２容器１２Ｂの第２空間３４１が第２蒸発部に相当する。このように、第１容器１２Ａの内部には、第１被吸着媒体が蒸発する第１蒸発部が形成される。第２容器１２Ｂの内部には、第２被吸着媒体が蒸発する第２蒸発部が形成される。
【００８５】
（脱離過程）
脱離過程では、第１フィン１６へ排ガスが送風される。それぞれの吸着剤収容部３２の内部の吸着剤１４２が加熱される。これにより、それぞれの吸着剤収容部３２において、気相の被吸着媒体が吸着剤１４２から脱離する。
【００８６】
さらに、脱離過程では、複数の第２フィン３８へ外気が送風される。それぞれの連通部３６の内部に存在する気相の被吸着媒体と外気との熱交換によって、気相の被吸着媒体が冷却される。これにより、それぞれの連通部３６の内部に存在する気相の被吸着媒体が凝縮して液相の被吸着媒体となる。凝縮した液相の被吸着媒体は、重力で落下して、それぞれの液内在部３４の内部に溜まる。
【００８７】
このように、本実施形態では、複数の第２フィン３８は、脱離過程のときに、それぞれの連通部３６の内部に存在する被吸着媒体の熱をそれぞれの連通部３６の外部へ放出させる放熱部として機能する。複数の第２フィン３８のうち第１容器１２Ａと第２容器１２Ｂとの間に設けられた第２フィン３８は、外気に受熱させて気相の第１、第２被吸着媒体を凝縮させる。換言すると、複数の第２フィン３８は、外気を冷却源として、それぞれの連通部３６の内部に存在する気相の被吸着媒体を冷却して凝縮させる冷却部として機能する。本実施形態においても、第１実施形態と同様の効果が得られる。
【００８８】
（第３実施形態）
図６に示すように、本実施形態の吸着器１０Ｂは、１つの容器１２Ｇを備える。容器１２Ｇは、１つの第１タンク部４２と、１つの第２タンク部４４と、複数のチューブ４６とを有する。
【００８９】
第１タンク部４２は、容器１２Ｇのうち上側に配置されている。第１タンク部４２は、第１タンク空間４２１を内部に形成する。第１タンク部４２は、第１タンク空間４２１を囲む壁４２２を有する。第１タンク空間４２１の壁４２２には、上壁４２３が含まれる。上壁４２３は、容器１２Ｇのうち上側に位置する壁である。
【００９０】
第１タンク部４２の内部に、吸着コア１４が配置されている。したがって、第１タンク部４２の内部に、吸着剤１４２が配置されている。吸着コア１４は、上壁４２３の内面４２３ａに対して熱伝導可能な状態で固定されている。
【００９１】
第２タンク部４４は、第１タンク部４２の下側に配置されている。第２タンク部４４は、第２タンク空間４４１を内部に形成する。第２タンク部４４は、第２タンク空間４４１を囲む壁４４２を有する。第２タンク部４４の壁４４２には、底壁４４３が含まれる。底壁４４３は、容器１２Ｇのうち下側に位置する壁である。
【００９２】
第２タンク部４４の内部に、液相の被吸着媒体が存在する。第２タンク部４４の内部に、多孔質体１８が配置されている。多孔質体１８は、底壁４４３の内面４４３ａに対して熱伝導可能な状態で固定されている。
【００９３】
複数のチューブ４６のそれぞれは、第１タンク部４２と第２タンク部４４との両方に連なっている。複数のチューブ４６のそれぞれは、第１タンク空間４２１と第２タンク空間４４１とを連通させる連通空間４６１を内部に形成する。複数のチューブ４６のそれぞれは、連通空間４６１を囲む壁４６２を有する。複数のチューブ４６のそれぞれの壁４６２は、上側から下側へ延びている。
【００９４】
複数のチューブ４６のそれぞれは、互いに間を空けて、一方向に積層されている。この一方向が、複数のチューブ４６が積層されているチューブ積層方向Ｄ１である。第１タンク空間４２１と第２タンク空間４４１と複数の連通空間４６１とは、容器１２Ｇの内部の連続する１つの空間１３を構成している。
【００９５】
第１タンク部４２の上壁４２３と第２タンク部４４の底壁４４３とは、上下方向に空間１３を挟んで対向している。したがって、上壁４２３が第１壁に相当する。底壁４４３が、第１壁に対して空間を挟んで対向する第２壁に相当する。複数のチューブ４６のそれぞれの壁４６２は、上壁４２３側から底壁４４３側へ延びている。したがって、複数のチューブ４６のそれぞれの壁４６２は、第１壁側から第２壁側へ延びている第３壁に相当する。複数のチューブ４６のそれぞれの壁４６２は、上壁４２３と底壁４４３とともに、空間１３を囲んでいる。
【００９６】
第１タンク部４２は、チューブ積層方向Ｄ１に延びている。吸着コア１４は、第１タンク部４２の内部において、チューブ積層方向Ｄ１での一端側チューブ４６ａの位置から他端側チューブ４６ｂの位置まで配置されている。一端側チューブ４６ａは、複数のチューブ４６のうちチューブ積層方向Ｄ１での一端側に位置する。他端側チューブ４６ｂは、複数のチューブ４６のうちチューブ積層方向Ｄ１での他端側に位置する。
【００９７】
第２タンク部４４も、チューブ積層方向Ｄ１に延びている。多孔質体１８は、第２タンク部４４の内部において、チューブ積層方向Ｄ１での一端側チューブ４６ａの位置から他端側チューブ４６ｂの位置まで配置されている。
【００９８】
吸着器１０Ｂは、１つの第１フィン１６と、１つの多穴管２０とを備える。第１フィン１６は、第１タンク部４２の上壁４２３の外面４２３ｂに対して熱伝導可能な状態で固定されている。多穴管２０は、第２タンク部４４の底壁４４３の外面４４３ｂに対して熱伝導可能な状態で固定されている。
【００９９】
吸着器１０Ｂは、複数の第２フィン４８を備える。それぞれの第２フィン４８は、複数のチューブ４６のうち隣り合うチューブ４６の間にそれぞれ設けられている。それぞれの第２フィン４８は、それぞれのチューブ４６の壁４６２の外面４６２ａに対して熱伝導可能な状態で固定されている。複数の第２フィン４８は、それぞれのチューブ４６の内部の気相の被吸着媒体とそれぞれのチューブ４６の外部の受熱媒体との熱交換を促進させる熱交換部材である。
【０１００】
次に、本実施形態の吸着器１０Ｂの作動について説明する。本実施形態の吸着器１０Ｂの作動は、第１実施形態の吸着器１０および第２実施形態の吸着器１０Ａと基本的に同じである。また、吸着式冷凍機７０の吸着器１０Ｂを除く部分の作動は、第１実施形態の吸着式冷凍機７０と同じである。複数の第２フィン４８は、第１実施形態の２つの第２フィン２２に対応する。
【０１０１】
（吸着過程）
吸着過程では、第１フィン１６へ外気が送風される。第１タンク部４２の内部の吸着剤１４２が冷却される。これにより、第２タンク部４４の内部に存在する液相の被吸着媒体が蒸発して気相の被吸着媒体となる。気相の被吸着媒体が第１タンク部４２の内部の吸着剤１４２に吸着される。このとき、第２タンク部４４において、被吸着媒体と被冷却物とが熱交換する。このため、液相の被吸着媒体が蒸発するときの蒸発潜熱によって、多穴管２０の内部を流れる被冷却物が冷却される。
【０１０２】
本実施形態では、第２タンク空間４４１に存在する液相の被吸着媒体が蒸発する。したがって、第２タンク空間４４１が、吸着過程のときに、液相の被吸着媒体と被冷却物とが熱交換し、液相の被吸着媒体が蒸発する蒸発部に相当する。この蒸発部は、空間のうち被吸着媒体が底壁４４３を介して被冷却物と熱交換する部分である。このように、容器１２Ｇの内部には、蒸発部が形成される。
【０１０３】
（脱離過程）
脱離過程では、第１フィン１６へ排ガスが送風される。第１タンク部４２の内部の吸着剤１４２が加熱される。これにより、第１タンク部４２において、気相の被吸着媒体が吸着剤１４２から脱離する。
【０１０４】
さらに、脱離過程では、複数の第２フィン４８へ外気が送風される。それぞれのチューブ４６の内部に存在する気相の被吸着媒体と外気との熱交換によって、気相の被吸着媒体が冷却される。これにより、それぞれのチューブ４６の内部に存在する気相の被吸着媒体が凝縮して液相の被吸着媒体となる。凝縮した液相の被吸着媒体は、重力で落下して、第２タンク部４４の内部に溜まる。
【０１０５】
このように、本実施形態では、複数の第２フィン４８は、脱離過程のときに、それぞれのチューブ４６の内部に存在する被吸着媒体の熱をそれぞれのチューブ４６の外部へ放出させる放熱部として機能する。複数の第２フィン４８は、脱離過程のときに、外気に受熱させて気相の被吸着媒体を凝縮させる。換言すると、複数の第２フィン４８は、外気を冷却源として、それぞれのチューブ４６の内部に存在する気相の被吸着媒体を冷却して凝縮させる冷却部として機能する。本実施形態においても、第１実施形態と同様の効果が得られる。
【０１０６】
（第４実施形態）
図７に示すように、本実施形態の吸着器１０Ｃは、第３実施形態の吸着器１０Ｂにおける多穴管２０を、インナーフィン５０が内部に配置された管５２に変更したものである。管５２の内部を、被冷却物である圧縮式冷凍サイクルの冷媒が流れる。インナーフィン５０および管５２は、被冷却物と被吸着媒体とを熱交換させるための熱交換部材である。換言すると、インナーフィン５０および管５２は、被冷却物と被吸着媒体との間を伝熱させる伝熱部材である。本実施形態においても、第１実施形態と同様の効果が得られる。
【０１０７】
（第５実施形態）
図８に示すように、本実施形態の吸着器１０Ｄは、１つの容器１２Ｈと、１つの吸着コア１４と、１つの第１フィン１６と、１つの第１多孔質体１８と、１つの多穴管２０と、２つの第２フィン２２と、２つの第２多孔質体２４とを備える。
【０１０８】
容器１２Ｈは、第１実施形態の容器１２の設置方向を変更したものに相当する。容器１２Ｈは、内部に空間１３を形成する。容器１２Ｈの内部には、被吸着媒体が封入されている。
【０１０９】
容器１２Ｈは、上壁１２１と、底壁１２３と、第１側壁１２５と、第２側壁１２７とを有する。上壁１２１は、容器１２Ｈのうち上側に位置する壁である。上壁１２１は、内面１２１ａと外面１２１ｂとを有する。底壁１２３は、容器１２Ｈのうち下側に位置する壁である。底壁１２３は、上壁１２１に対して間をあけて対向している。底壁１２３は、内面１２３ａと外面１２３ｂとを有する。
【０１１０】
第１側壁１２５および第２側壁１２７は、容器１２Ｈのうち側方側に位置する壁である。第１側壁１２５および第２側壁１２７は、上壁１２２と底壁１２４との両方に連なる。第１側壁１２５および第２側壁１２７は、上側から下側に向かって延びている。第１側壁１２５と第２側壁１２７とは、間をあけて対向している。第１側壁１２５および第２側壁１２７は、上壁１２１と底壁１２３とともに空間１３を囲んでいる。第１側壁１２５は、内面１２５ａと外面１２５ｂとを有する。第２側壁１２７は、内面１２７ａと外面１２７ｂとを有する。
【０１１１】
第１側壁１２５と第２側壁１２７とは、上下方向に対して交差する方向に空間１３を挟んで対向している。したがって、第１側壁１２５が第１壁に相当する。第２側壁１２７が、第１壁に対して空間を挟んで対向する第２壁に相当する。上壁１２１および底壁１２３は、第１側壁１２５側から第２側壁１２７側へ延びている。したがって、上壁１２１および底壁１２３は、第１壁側から第２壁側へ延びている第３壁に相当する。
【０１１２】
吸着コア１４は、第１側壁１２５の内面１２５ａに対して熱伝導可能な状態で固定されている。吸着コア１４は、容器１２Ｈの内部の空間１３のうち第１側壁側部分１３ｄに配置されている。第１側壁側部分１３ｄは、空間１３のうち第２側壁１２７よりも第１側壁１２５に近い側の部分である。
【０１１３】
第１フィン１６は、第１側壁１２５の外面１２５ｂに対して熱伝導可能な状態で固定されている。第１フィン１６は、第１側壁１２５の外側の伝熱面の面積を拡大させる拡大伝熱面を有する。
【０１１４】
第１多孔質体１８は、第１実施形態の多孔質体１８と同じものである。第１多孔質体１８は、第２側壁１２７の内面１２７ａに対して熱伝導可能な状態で固定されている。第１多孔質体１８は、空間１３のうち第２側壁側部分１３ｅに配置されている。第２側壁側部分１３ｅは、空間１３のうち第１側壁１２５よりも第２側壁１２７に近い側の部分である。
【０１１５】
多穴管２０は、第２側壁１２７の外面１２７ｂに対して熱伝導可能な状態で固定されている。
【０１１６】
２つの第２フィン２２の一方は、上壁１２１の外面１２１ｂに対して熱伝導可能な状態で固定されている。２つの第２フィン２２の他方は、底壁１２３の外面１２３ｂに対して熱伝導可能な状態で固定されている。
【０１１７】
２つの第２多孔質体２４は、毛細管力を発生させる構造体である。２つの第２多孔質体２４の一方は、上壁１２１の内面１２１ａに対して熱伝導可能な状態で固定されている。２つの第２多孔質体２４の他方は、底壁１２３の内面１２３ａに対して熱伝導可能な状態で固定されている。
【０１１８】
上壁１２１および底壁１２３のそれぞれは、両者の間隔が狭い部分と広い部分とを有する。上壁１２１および底壁１２３のうち両者の間隔が狭い部分の間に、吸着コア１４が配置されている。上壁１２１および底壁１２３における両者の間隔が広い部分の内面のそれぞれに、２つの第２多孔質体２４のそれぞれが設けられている。上壁１２１および底壁１２３における両者の間隔が広い部分の外面のそれぞれに、２つの第２フィン２２のそれぞれが設けられている。
【０１１９】
次に、本実施形態の吸着器１０Ｄの作動について、図９Ａ、９Ｂ、９Ｃを用いて説明する。吸着式冷凍機７０の吸着器１０Ｄを除く部分の作動は、第１実施形態の吸着式冷凍機７０と同じである。吸着器１０Ｄは、第１実施形態の吸着器１０と同様に、図９Ａの吸着過程と図９Ｃの脱離過程とが、図９Ｂの切替過程を経て、切
り換えられる。いずれの過程においても、矢印Ｃ１のように多穴管２０の内部に被冷却物が流入し、矢印Ｃ２のように多穴管２０の内部から被冷却物が流出する。
【０１２０】
（吸着過程）
吸着過程では、図９Ａの矢印Ａ１のように、第１フィン１６へ外気が送風される。外気と吸着剤１４２との熱交換によって、吸着剤１４２が冷却される。これにより、矢印Ｂ１のように、第２側壁側部分１３ｅに存在する液相の被吸着媒体が蒸発して気相の被吸着媒体となる。気相の被吸着媒体が吸着剤１４２に吸着される。このとき、多穴管２０、第２側壁１２７および多孔質体１８を介して、被吸着媒体と被冷却物とが熱交換する。このため、液相の被吸着媒体が蒸発するときの蒸発潜熱によって、多穴管２０の内部を流れる被冷却物が冷却される。
【０１２１】
本実施形態では、容器１２Ｈの内部の空間１３のうち第２側壁側部分１３ｅに存在する液相の被吸着媒体が蒸発する。したがって、第２側壁側部分１３ｅが、吸着過程のときに、液相の被吸着媒体と被冷却物とを熱交換させて、液相の被吸着媒体を蒸発させる蒸発部に相当する。この蒸発部は、空間１３のうち被吸着媒体が第２側壁１２７を介して被冷却物と熱交換する部分である。このように、容器１２Ｈの内部には、蒸発部が形成される。
【０１２２】
（吸着過程後の切替過程）
吸着過程後の切替過程では、図９Ｂに示すように、第１フィン１６への送風が停止される。これにより、吸着剤１４２の冷却が停止される。このため、被吸着媒体の吸着剤１４２への吸着が停止される。
【０１２３】
（脱離過程）
脱離過程では、図９Ｃの矢印Ａ２のように第１フィン１６へ排ガスが送風される。排ガスと吸着剤１４２との熱交換によって、吸着剤１４２が加熱される。これにより、矢印Ｂ２のように気相の被吸着媒体が吸着剤１４２から脱離する。
【０１２４】
脱離過程では、さらに、矢印Ａ３のように第２フィン２２へ外気が送風される。外気との熱交換によって、容器１２Ｈの内部に存在する気相の被吸着媒体が冷却される。これにより、容器１２Ｈの内部の空間１３のうち上壁側部分１３ｆおよび底壁側部分１３ｇに存在する気相の被吸着媒体が凝縮して液相の被吸着媒体となる。上壁側部分１３ｆは、空間１３のうち上下方向での中央部よりも上壁１２１に近い側の部分である。底壁側部分１３ｇは、空間１３のうち上下方向での中央部よりも底壁１２３に近い側の部分である。凝縮した液相の被吸着媒体は、第２多孔質体２４および第１多孔質体１８のウィック効果によって、第２側壁側部分１３ｅへ引き込まれる。
【０１２５】
このように、本実施形態では、２つの第２フィン２２は、脱離過程のときに、容器１２Ｈの内部に存在する被吸着媒体の熱を容器１２Ｈの外部へ放出させる放熱部として機能する。これらの第２フィン２２は、気相の被吸着媒体の熱を外気に受熱させて、気相の被吸着媒体を凝縮させる。換言すると、２つの第２フィン２２は、外気を冷却源として、容器１２Ｈの内部に存在する気相の被吸着媒体を冷却して凝縮させる冷却部として機能する。このため、本実施形態においても、第１実施形態と同様の効果が得られる。
【０１２６】
（脱離過程後の切替過程）
脱離過程後の切替過程では、図９Ｂに示すように、第１フィン１６への排ガスの送風と第２フィン２２への外気の送風とが停止される。これにより、吸着剤１４２の加熱と被吸着媒体の冷却とが停止される。
【０１２７】
（第６実施形態）
図１０Ａに示すように、本実施形態の吸着器１０Ｅは、第１実施形態の吸着器１０に対して発熱体６０を追加したものである。発熱体６０は、上壁１２２の外面１２２ｂに対して熱伝導可能な状態で固定されている。発熱体６０は、外面１２２ｂのうち第１フィン１６との接合箇所を除く部位に配置されている。発熱体６０は、ニクロム線などの抵抗発熱体である。
【０１２８】
図１０Ｂに示すように、本実施形態の吸着式冷凍機７０は、吸着器１０Ｅの他に、外気用ファン７１と、ダクト７３と、外気用ドア７４と、制御装置７６とを備える。ダクト７３は、第１フィン部分７３１と、第２フィン部分７３２と、外気供給部分７３３とを含む。
【０１２９】
次に、吸着式冷凍機７０の作動を説明する。図１０Ｂに示すように、制御装置７６は、吸着過程のときの第１状態となるように、第１実施形態と同様に、外気用ファン７１、外気用ドア７４の作動を制御する。このとき、制御装置７６は、発熱体６０の作動を停止させる。これにより、第１実施形態と同様に、吸着器１０Ｅは吸着過程の状態となる。
【０１３０】
図１０Ｃに示すように、制御装置７６は、脱離過程のときの第２状態となるように、第１実施形態と同様に、外気用ファン７１、外気用ドア７４の作動を制御する。このとき、制御装置７６は、発熱体６０を作動させる。これにより、第１実施形態と同様に、吸着器１０Ｅは脱離過程の状態となる。
【０１３１】
本実施形態の吸着器１０Ｅでは、脱離過程のとき、発熱体６０が発熱することで、吸着剤１４２が加熱される。このように、吸着剤１４２を加熱する加熱部として、発熱体６０を用いることができる。本実施形態では、第１フィン１６と発熱体６０とが、吸着剤１４２を冷却および加熱する冷却加熱部として用いられている。
【０１３２】
（第７実施形態）
図１１Ａに示すように、本実施形態の吸着器１０Ｆは、第１多穴管２０と、２つの第２多穴管６２とを備える。第１多穴管２０は、第１実施形態の多穴管２０である。本実施形態の吸着器１０Ｆは、第１実施形態の吸着器１０に対して２つの第２フィン２２を２つの第２多穴管６２に変更したものである。それぞれの第２多穴管６２は、対応する側壁１２６の外面１２６ｂに対して熱伝導可能な状態で固定されている。それぞれの第２多穴管６２は、内部を冷却液が流れる冷却管である。具体的には、それぞれの第２多穴管６２は、内部に複数の流路６２２を有する。複数の流路６２２には、脱離過程のときに、冷却液が流れる。この冷却液は、脱離過程のときに、気相の被吸着媒体の熱を受熱する受熱媒体である。この冷却液は、第１多穴管２０を流れる被冷却物とは別の物である。この冷却液の温度は、第１多穴管２０を流れる被冷却物の温度よりも低い。
【０１３３】
図１１Ｂに示すように、本実施形態の吸着式冷凍機７０は、吸着器１０Ｆの他に、外気用ファン７１と、排ガス用ファン７２と、ダクト７３と、外気用ドア７４と、排ガス用ドア７５と、制御装置７６とを備える。ダクト７３は、第１フィン部分７３１と、外気供給部分７３３と、外気放出部分７３４と、排ガス供給部分７３５と、排ガス放出部分７３６とを含む。外気用ドア７４は、第１フィン部分７３１と外気供給部分７３３とが連通した状態と遮断された状態とを切り替える。
【０１３４】
吸着式冷凍機７０は、冷却液が循環する冷却液回路８０を備える。冷却液回路８０は、２つの第２多穴管６２に接続されている。冷却液回路８０は、第２多穴管６２に冷却液を供給する。冷却液回路８０は、冷却液ポンプ８１と、放熱器８２と、配管８３とを備える。冷却液ポンプ８１および放熱器８２は、２つの第２多穴管６２とともに、配管８３によって環状に連結されている。なお、図１１Ｂでは、２つの第２多穴管６２のうち一方のみが冷却液回路８０に接続されているように示されている。しかしながら、図示されていないが、２つの第２多穴管６２のうち他方も、冷却液回路８０に接続されている。
【０１３５】
冷却液ポンプ８１は、冷却液の流れを形成する。冷却液ポンプ８１の作動と停止は、制御装置７６に制御される。放熱器８２は、冷却液と外気との熱交換によって冷却液の熱を外気へ放出する。放熱器８２で放熱後の冷却液が、２つの第２多穴管６２に流入する。
【０１３６】
次に、吸着式冷凍機７０の作動を説明する。図１１Ｂに示すように、制御装置７６は、吸着過程のときの第１状態となるように、第１実施形態と同様に、外気用ファン７１、外気用ドア７４および排ガス用ドア７５の作動を制御する。このとき、制御装置７６は、冷却液ポンプ８１を停止させる。このため、２つの第２多穴管６２には、冷却液が供給されない。これにより、第１実施形態と同様に、吸着器１０Ｆは吸着過程の状態となる。
【０１３７】
図１１Ｃに示すように、制御装置７６は、脱離過程のときの第２状態となるように、第１実施形態と同様に、外気用ファン７１、外気用ドア７４および排ガス用ドア７５の作動を制御する。このとき、制御装置７６は、冷却液ポンプ８１を作動させる。このため、図１１Ｃの矢印Ｅ１のように、冷却液が流れる。このように、制御装置７６は、第２状態への切り替えの際に、冷却液回路８０によって２つの多穴管６２に冷却液を供給する。これにより、第１実施形態と同様に、吸着器１０Ｆは脱離過程の状態となる。
【０１３８】
本実施形態では、２つの第２多穴管６２は、脱離過程のときに、容器１２の内部に存在する被吸着媒体の熱を容器１２の外部へ放出させる放熱部として機能する。これらの第２多穴管６２は、気相の被吸着媒体と冷却液とを熱交換させ、気相の被吸着媒体の熱を冷却液に受熱させて、気相の被吸着媒体を凝縮させる。換言すると、それぞれの第２多穴管６２は、脱離過程のときに、複数の流路６２２を流れる冷却液を冷却源として、容器１２の内部に存在する気相の被吸着媒体を冷却して凝縮させる冷却部として機能する。このため、本実施形態においても、第１実施形態と同様の効果が得られる。
【０１３９】
本実施形態では、冷却液回路８０が、気相の被吸着媒体から受熱する受熱媒体を放熱部へ供給する受熱媒体供給部に相当する。２つの第２多穴管６２は、気相の被吸着媒体と受熱媒体とを熱交換させる熱交換部に相当する。
【０１４０】
また、本実施形態では、吸着過程のときに、冷却液ポンプ８１が停止される。しかしながら、吸着過程のときに、冷却液ポンプ８１が作動していてもよい。吸着過程のときに、２つの第２多穴管６２に冷却液が供給されても、気相の被吸着媒体から冷却液への熱の移動は生じないからである。
【０１４１】
（第８実施形態）
図１２Ａに示すように、本実施形態の吸着器１０Ｇは、第１実施形態の吸着器１０に対して２つの第２フィン２２を２つの電子冷却器６４に変更したものである。それぞれの電子冷却器６４は、対応する側壁１２６の外面１２６ｂに対して熱伝導可能な状態で固定されている。それぞれの電子冷却器６４は、ペルチェ素子などの電子部品を冷却源とする冷却器である。それぞれの電子冷却器６４は、吸熱面と発熱面とを有する。それぞれの電子冷却器６４は、吸熱面を容器１２に向けて固定されている。
【０１４２】
図１２Ｂに示すように、本実施形態の吸着式冷凍機７０は、吸着器１０Ｇの他に、外気用ファン７１と、排ガス用ファン７２と、ダクト７３と、外気用ドア７４と、排ガス用ドア７５と、制御装置７６とを備える。ダクト７３は、第１フィン部分７３１と、外気供給部分７３３と、外気放出部分７３４と、排ガス供給部分７３５と、排ガス放出部分７３６とを含む。外気用ドア７４は、第１フィン部分７３１と外気供給部分７３３とが連通した状態と遮断された状態とを切り替える。制御装置７６は、電子冷却器６４の作動と停止を制御する。
【０１４３】
次に、吸着式冷凍機７０の作動を説明する。図１２Ｂに示すように、制御装置７６は、吸着過程のときの第１状態となるように、第１実施形態と同様に、外気用ファン７１、外気用ドア７４および排ガス用ドア７５の作動を制御する。このとき、制御装置７６は、電子冷却器６４を停止させる。これにより、第１実施形態と同様に、吸着器１０Ｇは吸着過程の状態となる。
【０１４４】
図１２Ｃに示すように、制御装置７６は、脱離過程のときの第２状態となるように、第１実施形態と同様に、外気用ファン７１、外気用ドア７４および排ガス用ドア７５の作動を制御する。このとき、制御装置７６は、２つの電子冷却器６４を作動させる。これにより、第１実施形態と同様に、吸着器１０Ｇは脱離過程の状態となる。
【０１４５】
本実施形態では、脱離過程のときに、２つの電子冷却器６４が作動する。このとき、電子部品の温度は、第１多穴管２０を流れる被冷却物の温度よりもが低くされる。これにより、容器１２の内部に存在する被吸着媒体の熱が電子冷却器６４の吸熱側へ放出される。このように、２つの電子冷却器６４は、脱離過程のときに、容器１２の内部に存在する被吸着媒体の熱を容器１２の外部へ放出させる放熱部として機能する。これらの電子冷却器６４は、気相の被吸着媒体の熱を電子冷却器６４の吸熱面に受熱させて、気相の被吸着媒体を凝縮させる。換言すると、脱離過程のときに、２つの電子冷却器６４が、容器１２の内部に存在する気相の被吸着媒体を冷却して凝縮させる冷却部として機能する。本実施形態においても、第１実施形態と同様の効果が得られる。
【０１４６】
なお、本実施形態では、吸着過程のときに、電子冷却器６４が停止される。しかしながら、吸着過程のときに、電子冷却器６４が作動していてもよい。吸着過程のときに、電子冷却器６４が作動しても、気相の被吸着媒体から電子冷却器６４の吸熱面への熱の移動は生じないからである。
【０１４７】
（他の実施形態）
（１）第１実施形態では、４つの側壁１２６のうち２つの側壁１２６のみに、第２フィン２２が設けられていた。しかしながら、４つの側壁１２６のそれぞれに、第２フィン２２が設けられていてもよい。
【０１４８】
（２）第１実施形態では、容器１２の形状が直方体であった。しかしながら、容器１２の形状は、円筒形状等の他の形状であってもよい。容器１２の形状が円筒形状の場合、側壁１２６は１つである。１つの側壁１２６に、１つまたは複数の第２フィン２２が設けられてもよい。
【０１４９】
（３）第１実施形態では、容器１２の内部の空間１３のうち底壁側部分１３ｂに、多孔質体１８が配置されていた。しかしながら、多孔質体１８が配置されていなくてもよい。この場合であっても、吸着過程のとき、底壁側部分１３ｂに存在する液相の被吸着媒体が蒸発する。第２−第８実施形態においても、同様である。
【０１５０】
（４）第１実施形態では、吸着過程のときに、第１フィン１６へ供給する受熱媒体として、外気を用いたが、他の受熱媒体を用いてもよい。第２−第８実施形態においても、同様である。また、上記各実施形態では、脱離過程のときに、第２フィン２２、３８、４８へ供給する受熱媒体として外気を用いたが、他の受熱媒体を用いてもよい。
【０１５１】
（５）第１実施形態では、脱離過程のときに、第１フィン１６へ供給する加熱媒体として、排ガスを用いたが、他の加熱媒体を用いてもよい。他の加熱媒体として、例えば、エンジン７自体または排ガスと熱交換された空気を用いてもよい。第２−第５、第７−第８実施形態においても同様である。
【０１５２】
（６）上記各実施形態では、第１フィン１６として、コルゲートフィンが用いられていた。しかしながら、第１フィン１６として、プレートフィン、ストレートフィン、オフセットフィン、ウェーブフィンなどの他のフィンが用いられてもよい。また、第１フィン１６の代わりに、多穴管などの他の伝熱部材を用いてもよい。
【０１５３】
（７）上記各実施形態では、多穴管２０またはインナーフィン５０が内部に配置された管５２が用いられていた。しかしながら、これらの替わりに、フィンが用いられてもよい。フィンとしては、プレートフィン、ストレートフィン、オフセットフィン、ウェーブフィンなどが挙げられる。
【０１５４】
（８）上記各実施形態では、第２フィン２２、第２多穴管６２および電子冷却器６４に代表される放熱部が、容器の外側に設けられていた。しかしなら、被吸着媒体の熱を容器１２の外部に放出させるようになっていれば、放熱部が容器１２の内部に設けられていてもよい。例えば、多穴管が容器１２の内部に設けられてもよい。この場合、多穴管の内部を受熱媒体が流れる。受熱媒体は、被吸着媒体から受熱し、熱を容器１２の外部へ放出するようになっていればよい。
【０１５５】
（９）第１実施形態では、吸着器１０が空気中に配置されており、容器１２の周囲は空気が存在する環境であった。しかしながら、吸着器１０は水中に配置されてもよい。この場合、容器１２の周囲は水が存在する環境である。この場合、容器１２の周囲の環境に存在する水を、放熱部としての第２フィン２２に供給してもよい。さらに、第２フィン２２で気相の被吸着媒体と熱交換した後の水を、容器１２の周囲の環境に放出してもよい。この場合において、容器１２の周囲の環境に存在する水を第２フィン２２へ供給する装置が受熱媒体供給部に相当する。
【０１５６】
（１０）上記各実施形態では、被吸着媒体の蒸発潜熱によって冷却する被冷却物は、蒸気圧縮式冷凍サイクル装置１の凝縮器３から流出した液相冷媒であった。しかしながら、被冷却物は、凝縮器３から流出した液相冷媒と熱交換される流体であってもよい。この場合、この流体を介して、凝縮器３から流出した液相冷媒を冷却することができる。
【０１５７】
（１１）上記各実施形態では、吸着式冷凍機は、車両用の空調装置を構成する圧縮式冷凍サイクル装置の冷媒を冷却する用途に用いられていた。しかしながら、上記各実施形態の吸着式冷凍機が他の用途に用いられてもよい。他の用途としては、排熱利用冷房装置や、熱駆動ヒートポンプ装置などが挙げられる。また、上記各実施形態では、吸着式冷凍機は、被吸着媒体の蒸発潜熱によって冷却する被冷却物が、圧縮式冷凍サイクル装置の冷媒、すなわち、流体であった。しかしながら、被冷却物は、固体であってもよい。
【０１５８】
（１２）本発明は上記した実施形態に限定されるものではなく、特許請求の範囲に記載した範囲内において適宜変更が可能であり、様々な変形例や均等範囲内の変形をも包含する。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【０１５９】
（まとめ）
上記各実施形態の一部または全部で示された第１の観点によれば、吸着器は、容器と、吸着剤と、放熱部とを備える。容器の内部には、吸着過程のときに、液相の被吸着媒体と被冷却物とが熱交換し、液相の被吸着媒体が蒸発する蒸発部が形成される。放熱部は、脱離過程のときに、被冷却物とは別の物に受熱させて気相の被吸着媒体を凝縮させる。
【０１６０】
また、第２の観点によれば、容器は、第１壁と、第１壁に対して空間を挟んで対向する第２壁と、第１壁側から第２壁側へ延びている第３壁とを有する。吸着剤は、第１壁に対して熱伝導可能な状態で固定されている。蒸発部は、空間のうち被吸着媒体が第２壁を介して被冷却物と熱交換する部分である。放熱部は、第３壁のうち容器の外側に設けられている。
【０１６１】
第１の観点において、第２の観点の具体的な構成を採用することができる。この場合、放熱部は、第３壁を介して被吸着媒体を冷却する。
【０１６２】
また、第３の観点によれば、第１壁は、容器のうち上側に位置する上壁である。第２壁は、上壁よりも下側に位置する底壁である。第３壁は、上側から下側へ延びている壁である。第２の観点において、第３の観点の構成を採用することができる。
【０１６３】
また、第４の観点によれば、放熱部は、気相の被吸着媒体と容器の外部の受熱媒体との熱交換を促進させるフィンである。第２、第３の観点において、第４の観点の構成を採用することができる。
【０１６４】
また、第５の観点によれば、容器は第１容器である。吸着剤は第１吸着剤である。被吸着媒体は第１被吸着媒体である。蒸発部は第１蒸発部である。吸着器は、第２吸着剤に吸着される第２被吸着媒体が封入された第２容器と、第２容器の内部に配置された第２吸着剤とを備える。第２容器の内部には、気相の第２被吸着媒体が第２吸着剤に吸着する吸着過程のときに、液相の第２被吸着媒体と被冷却物とが熱交換し、液相の第２被吸着媒体が蒸発する第２蒸発部が形成される。放熱部は、気相の第２被吸着媒体が第２吸着剤から脱離する脱離過程のときに、被冷却物とは別の物に受熱させて気相の第２被吸着媒体を凝縮させる。
【０１６５】
第１の観点において、第５の観点の構成を採用することができる。これによれば、第１容器と第２容器との一方が破損しても、第１容器と第２容器との他方によって、被冷却物を冷却することができる。
【０１６６】
また、第６の観点によれば、容器は、第１タンク部と、第２タンク部と、複数のチューブとを有する。第１タンク部は、第１タンク空間を内部に形成する。第２タンク部は、第２タンク空間を内部に形成する。複数のチューブは、第１タンク空間と第２タンク空間とを連通させる連通空間を内部に形成する。吸着剤は、第１タンク部の内部に配置される。蒸発部は、第２タンク部の内部に形成される。放熱部は、複数のチューブのうち隣り合うチューブの間にそれぞれ設けられた複数のフィンである。
【０１６７】
第１の観点において、第６の観点の構成を採用することができる。この吸着器は、第１タンク部と第２タンク部と複数のチューブとを備える熱交換器と同様の構造である。このため、熱交換器の製造技術を用いて、吸着器を容易に製造することができる。
【０１６８】
また、第７の観点によれば、吸着式冷凍機は、第１、２、３、５、６の観点のいずれか１つに記載の吸着器と、吸着過程のときの第１状態と、脱離過程のときの第２状態との切り替えを制御する制御装置とを備える。吸着器は、吸着剤の冷却および加熱を行う冷却加熱部を有する。第１状態においては、冷却加熱部によって吸着剤が冷却され、容器の内部に蒸発部が形成され、放熱部による被吸着媒体からの熱の放出が行われない。第２状態においては、冷却加熱部によって吸着剤が加熱され、放熱部による被吸着媒体からの熱の放出が行われる。
【０１６９】
制御装置は、このように第１状態と第２状態とを切り替える。これにより、第１の観点と同様の効果が得られる。
【０１７０】
また、第８の観点によれば、吸着式冷凍機は、気相の被吸着媒体から受熱する受熱媒体を放熱部へ供給する受熱媒体供給部を備える。放熱部は、気相の被吸着媒体と受熱媒体とを熱交換させる熱交換部である。制御装置は、第２状態への切り替えの際に、受熱媒体供給部によって放熱部へ受熱媒体を供給する。第７の観点において、第８の観点の構成を採用することができる。
【０１７１】
また、第９の観点によれば、受熱媒体供給部は、受熱媒体として容器の周囲の環境に存在する熱交換媒体を放熱部に供給する。このように、受熱媒体として周囲の環境に存在する熱交換媒体を用いることができる。
【０１７２】
また、第１０の観点によれば、受熱媒体供給部は、放熱部で気相の被吸着媒体と熱交換した後の熱交換媒体を、容器の周囲の環境に放出する。
【０１７３】
ここで、受熱媒体として周囲の環境に存在する熱交換媒体とは異なる熱交換媒体を用い、かつ、受熱媒体が流れる閉回路を用いる場合、閉回路から受熱媒体が漏れないようにする必要がある。これに対して、第１０の観点によれば、受熱媒体が流れる閉回路を用いていないので、受熱媒体が漏れないようにする必要が無い。
【０１７４】
また、第１１の観点によれば、被冷却物は、蒸気圧縮式冷凍サイクル装置の凝縮器から流出した液相冷媒または液相冷媒と熱交換される流体である。このように、第７−第１０の観点の吸着式冷凍機を、蒸気圧縮式冷凍サイクル装置の凝縮器から流出した液相冷媒または液相冷媒と熱交換される流体の冷却に適用することができる。
【符号の説明】
【０１７５】
１０    吸着器
１２    容器
１３    容器の内部の空間
１３ｂ  容器の内部の空間のうち底壁側部分
１２２  上壁
１２４  底壁
１２６  側壁
１４２  吸着剤
２２    第２フィン
【図１Ａ】
2019070509.tif 000003
【図１Ｂ】
2019070509.tif 000004
【図１Ｃ】
2019070509.tif 000005
【図２Ａ】
2019070509.tif 000006
【図２Ｂ】
2019070509.tif 000007
【図２Ｃ】
2019070509.tif 000008
【図３】
2019070509.tif 000009
【図４】
2019070509.tif 000010
【図５】
2019070509.tif 000011
【図６】
2019070509.tif 000012
【図７】
2019070509.tif 000013
【図８】
2019070509.tif 000014
【図９Ａ】
2019070509.tif 000015
【図９Ｂ】
2019070509.tif 000016
【図９Ｃ】
2019070509.tif 000017
【図１０Ａ】
2019070509.tif 000018
【図１０Ｂ】
2019070509.tif 000019
【図１０Ｃ】
2019070509.tif 000020
【図１１Ａ】
2019070509.tif 000021
【図１１Ｂ】
2019070509.tif 000022
【図１１Ｃ】
2019070509.tif 000023
【図１２Ａ】
2019070509.tif 000024
【図１２Ｂ】
2019070509.tif 000025
【図１２Ｃ】
2019070509.tif 000026